(57)【要約】      （修正有）【課題】医薬品、化粧品、及びその他冷蔵を必要とする小さなアイテムを保管するための冷蔵薬品キャビネットを提供する。【解決手段】冷蔵薬品キャビネット１０は、浴室の壁に据えつけられ、冷蔵薬品キャビネット１０の内部は、複数の調節可能な上段３０、中段３５、下段４０棚システムを含み、冷蔵ユニット１５、換気ダクト２２を備え、前面に扉２１を設けている。【選択図】図２
2013248391.tif 000002
【特許請求の範囲】
【請求項１】
上部、左側、右側、下部、前面と背面を備えた外部、
医薬品、化粧品、及びその他の小さなアイテムを保管するための冷蔵部分及び冷蔵ユニットを含む前記冷蔵薬品キャビネット、
前記冷蔵薬品キャビネット冷蔵ユニットの前記上面に設置された埋め込み換気ダクト、
前記前面を形成する扉、
複数の棚システムを持つ内部、
上棚、下棚、及び、各棚システムの前記上棚及び下棚に接続した垂直な仕切りから構成される各棚システムを含む冷蔵薬品キャビネット。
【請求項２】
請求項１の前記冷蔵薬品キャビネットであって、前記冷蔵薬品キャビネットの前記前面外部が大きな鏡を持つ。
【請求項３】
請求項１の前記冷蔵薬品キャビネットであって、前記冷蔵薬品キャビネットの前記前面外部の部分が小型の拡大鏡を含む。
【請求項４】
請求項１の前記冷蔵薬品キャビネットであって、前記冷蔵薬品キャビネットの前記内部が、ユーザーのニーズに対応するため様々な容量がある。
【請求項５】
請求項１の前記冷蔵薬品キャビネットであって、前記冷蔵薬品キャビネットの深度が浴室に適したサイズである。
【請求項６】
請求項１の前記冷蔵薬品キャビネットであって、前記冷蔵薬品キャビネットは冷凍室を持つ。
【請求項７】
請求項１の前記冷蔵薬品キャビネットであって、前記冷蔵薬品キャビネットの全体の内部が冷凍庫である。
【請求項８】
請求項１の前記冷蔵薬品キャビネットであって、前記棚システムはシルバーやゴールドなどの様々な色がある。
【請求項９】
請求項１の前記冷蔵薬品キャビネットであって、前記棚システムは、次の「レール」、ガラス、透明プラスチック、着色プラスチックのうち１つから選択される。
【請求項１０】
請求項１の前記冷蔵薬品キャビネットであって、前記棚システムの間の前記垂直間隙は調節可能である。
【発明の詳細な説明】
【発明の分野】
【０００１】
本発明は、一般的に家庭での医薬品の保管に関する。その発明はより具体的には、医薬品や正確な冷蔵温度で冷蔵が必要なその他非食品を保管できる冷蔵薬品キャビネットに対して向けられている。
【既存技術に関する記述】
【０００２】
特定の種類の医薬品は、冷蔵を必要とする。このような医薬品は冷蔵薬品キャビネットで保管できる。冷蔵薬品キャビネット、又は医薬品を保管する冷蔵庫のの特定のデザインは、既存技術において存在する。最も多く使用されるのは、病院やその他の医療施設であり、そこでは床に据えつけられる巨大な冷蔵薬品キャビネットが使われている。一方で、家庭で服用される特定の医薬品も、冷蔵を必要とする。自宅でこれらの冷蔵用の薬剤を保管して置く一つの方法は、台所の冷蔵庫で食料品と共に保管することである。とはいえ、薬剤はしばしば浴室で服用されるので、これは便宜的ではない。剥がす必要のある局所薬剤も浴室で多く使用されるものである。さらには薬剤としても、台所の冷蔵庫で食料品と一緒に保管することは望ましくなく、特に軟膏タイプのようなにおいを放つ薬剤等はそういう環境は望ましくない。台所の冷蔵庫は一般的に要冷蔵の医薬品を保管するのに適した小さなキャビネットが備わっていない。そのうえ、恐らく台所の冷蔵庫の中の食べ物を捜す幼い子供が保管されている薬剤を見つけ、子供は両親が薬剤を服用しているのを見ているうちに薬剤を食べ物だと思い摂取してしまうかもしれない。加えて、ある化粧品は冷蔵が必要になる。化粧品は一般的に浴室や寝室にて用いられるので化粧品を台所の冷蔵庫に保管する事は不便となる。そういった理由から既存技術は、浴室に据えつけられることを意図した、医薬品、化粧品及びその他小さなアイテム用にデザインされた冷蔵キャビネットの必要性を認識する。浴室は一般的に充分な床面積が無いため、浴室用冷蔵キャビネットは従来型の浴室の壁キャビネットの場合と同じように、浴室の壁に設置されることを意図している。
【０００３】
上記に述べた要冷蔵の医薬品の保管問題を解決する初期の試みでは、医薬品キャビネットとして使用される従来の台所冷蔵庫の中に、特別に厳重な保管場所を設置していた。この特別な保管場所は、台所冷蔵庫の中のどこにでも薬剤を置けるという利点がある一方で、欠点もあった。特別な保管場所は、特別な保管場所を設置するために、訓練された技術者による作業を必要とした。特別な保管場所は、台所冷蔵庫の食品貯蔵用の保管容量を減らす事につながった。そして特別な保管場所は、冷蔵されたアイテムを取るために依然として台所へ移動することを必要としているが、それは浴室で取られることがより好ましく、また台所冷蔵庫へ薬剤を保管しに行くため再度台所への移動しなければならない。台所の冷蔵庫内の保管場所は、特定の薬剤からのにおいが改造された台所冷蔵庫の食品保管部分へ浸透することを依然許容している。
【０００４】
上記に述べた要冷蔵の医薬品の保管問題を解決するもう一つの試みは家具、医薬品キャビネットもしくはその他の家庭にある物のようなコンパクトな冷蔵装置を設計することにあった。この設計は機能的であるかもしれない一方で、コンパクトな冷蔵装置につながった電源コードを含め、家具や薬品キャビネットに取り付けられたコンパクトな冷蔵装置を持つことで、あまり洗練的に見えない。家具に付けられたコンパクトな冷蔵装置の場合、床の上にコードを走らせる必要があり、つまづく危険性がある。さらに浴室は、一般的にコンパクトな冷蔵装置を取り付ける家具がない。
【０００５】
上記に述べた要冷蔵の医薬品保管の問題を解決するためのさらなる試みは、従来の医薬品キャビネットのような、正面に鏡が付いた浴室の壁に取り付けられる、従来のサイズで最もよく理解される医薬品キャビネットを設計することである。この医薬品キャビネットは、２つの部分に垂直に仕切られる。一方の半分には点検窓があり、周囲温度に保たれる。この半分には、冷蔵を必要としない浴室用品が保管される。残りの半分は冷蔵され、必要に応じて周囲温度でキャビネットを含むことが可能であり、また医薬品や化粧品のような冷蔵が必要なアイテムを保管する。最初は、これにより上記で述べた要冷蔵の医薬品の保管の問題を解決するとみられる。しかし、特に多数の人々によって使われている浴室キャビネットは、一般的に全ての利用可能なスペースを活用しており、しばしば過密状態となる。冷蔵用の浴室キャビネットの半分のスペースを奪うと、保管を必要とする全アイテムを保管するためには不十分な冷蔵及びスペースしか残らないことになりかねない。
【０００６】
以上のことから、浴室に設置された冷蔵薬品キャビネットのために存在する技術の明確な必要性が明らかである。この医薬品キャビネットは、冷蔵が必要なアイテムのみを保管することに特化されるべきである。医薬品キャビネットは、外観がスタイリッシュで、浴室のその他のキャビネットのデザインと調和すべきである。
【発明の概要】
【０００７】
冷蔵薬品キャビネットは、
上部、左側、右側、下部、前面と背面を備えた外部、
医薬品保管のための冷蔵部分を含んだ冷蔵薬品キャビネット、化粧品や他の小さなアイテム、そして付属の冷蔵ユニット、冷蔵薬品キャビネット冷蔵ユニットの上面に設置された埋め込み式の換気ダクト、
前面を形成する扉、
複数の棚システムを含む内部、
上棚、下棚、及び各棚システムの上棚と下棚に接続する垂直な仕切りから成る各棚システムから構成される。
【０００８】
発明の別の実施例では、冷蔵薬品キャビネットの前面外部には大きな鏡と特注又は好ましい任意の色に塗られた木製外部を持つ。
【０００９】
発明の別の実施例では、冷蔵薬品キャビネットの前面外部は、冷蔵薬品キャビネットの前面外部の一部に小型の拡大鏡が含むことができる。
【００１０】
発明の別の実施例では、冷蔵薬品キャビネットの内部は、ユーザーの必要性に対応するために様々な容量で提供される。
【００１１】
更にもうひとつ別の発明の実施例では、冷蔵薬品キャビネットの深さは浴室にふさわしいサイズに形成される。
【００１２】
更にもう一つの別の発明の実施例では、冷蔵薬品キャビネットには冷凍室があるか、内部全体が冷凍器になる。
【００１３】
更にもう一つの別の発明の実施例では、棚システムはシルバーやゴールドのような様々な色が提供される。
【００１４】
更なる実施例では、棚システムは、「レール」、ガラス、透明及び着色プラスティックでもよい。
【００１５】
更なる実施例では、棚システムは同士の垂直間隔は調整可能である。
【００１６】
これらおよび他の発明の利点は、以下の書面による特許明細書、特許請求の範囲、及び添付図面を参照すること当該技術に熟達した者によりさらに理解され評価される。
【図面の簡単な説明】
【００１７】
本発明はここで、次の添付の図を例として参照しながら説明する。
【００１８】
【図１】図１は、本発明の概念に従い、前扉が閉じた状態の正面からの冷蔵薬品キャビネットの透視図を示す。
【００１９】
【図２】図２  は、本発明の概念に従い、前扉が開いた状態の正面からの冷蔵薬品キャビネットの透視図を示す。
【００２０】
【図３】図３  は、本発明の概念に従い、背面からの冷蔵薬品キャビネットの透視図を示す。
【００２１】
同じ参照番号は、異なる図においても同じ部品を指している。
【代表的な実施例の詳細な記述】
【００２２】
以下の詳細な説明は、本質的な例示に過ぎず、記載の実施形態または適用、及び記載の実施形態の使用を限定することを意図しない。本明細書で使用される、「典型的」又は「例証的」という用語は、「例、事例、実例として提供される」ことを意味する。本明細書で「典型的」又は「例証的」と記載された任意の実装は、その他の実装よりも好ましい又は有利であると必ずしも解釈されるものではない。以下に記載されたすべての実装は、当該技術分野において熟練した技術を持つ者が、本開示の実施形態を作る又は使用することを可能にするために提供された典型的な実装であり、特許請求の範囲によって定義される本開示の範囲を限定するものではない。本明細書における説明の目的において、「上」、「下」、「左」、「右」、「前」、「垂直」、「水平」、という用語及びそれらの派生語は、図１で指向されたような本発明に関連するものとする。さらに、先行する技術分野、背景、概要または以下の詳細な説明で示された任意の明示又は暗示の理論に束縛されることを意図するものではない。また、添付の図面に示され、以下の特許明細書に記載された具体的なデバイスおよびプロセスは、添付の特許請求の範囲に規定された発明概念の典型的な実施形態であるに過ぎないことも、理解されるべきである。したがって、本明細書に開示された実施形態に係る特定の寸法および他の物理的特性は、明示的に主張しない限り、制限的なものとして考慮されるべきではない。
【００２３】
図１は、冷蔵薬品キャビネット１０の外部の正面透視図を示す。図１に示された冷蔵薬品キャビネット１０の外部は、上面１２、左面１４、右面１６、底面１８、及び前面２０を含む。冷蔵薬品キャビネットは、冷蔵部分２７及び冷蔵ユニット１５を含む。冷蔵薬品キャビネット１０冷蔵ユニット１５の上面１２は、換気ダクト２２及び温度自動調節器（図示なし）が埋め込まれた冷蔵ユニットを含む。換気ダクト２２が埋め込まれた上面１２は、冷蔵ユニット１５から温風を排出する。冷蔵ユニット１５は、冷蔵薬品キャビネット１０を壁に埋込むか又は据付けることができる電源コード１９の囲い用の埋込みチャネル１７を含む。冷蔵薬品キャビネット１０の前面２０は、冷蔵薬品キャビネット１０の内部を使用することが可能な選択的に開閉できる扉を形成している。冷蔵薬品キャビネット１０の前面２０は、大きな鏡２４（図示なし）を含むか、あるいは木材又は塗装仕上げになることが可能である。冷蔵薬品キャビネット１０の前面２０は、小型の拡大鏡２６を含むこともできる。冷蔵薬品キャビネット１０の前面２０は、冷蔵薬品キャビネット１０の前面２０扉２１を開くための把手を含むこともできる。把手２８の代わりに、具体的には冷蔵薬品キャビネット１０の前面２０に大きな鏡が取り付けられている場合、前面内部磁石２３（図２）及び左面内部磁石２５は、冷蔵薬品キャビネット１０の前面２０の扉を使用していないときに閉じておくために利用することができる。
【００２４】
図２は、扉２１が空いている冷蔵薬品キャビネット１０の内部の正面透視図を示す。図２に示された冷蔵薬品キャビネット１０の内部は、上段３０、中段３５、下段４０棚システムを含むが、本発明は３つの棚システムに限定されない。上段の棚システム３０は、上棚３１、下棚  ３２、及び垂直な棚仕切り３３を含む。垂直な仕切り３３は、上棚３１と下棚３２と接続し、下棚３２の仕切りとしても使用できる。同様に、中段棚システム３５は、上棚  ３６、下棚３７及び垂直な棚仕切り３８を含む。垂直な仕切り３７は、上棚３６及び下棚３７と接続し、下棚３７の仕切りとしても使用できる。下段棚システム４０は、上棚４１及び垂直な棚仕切り４３を含む。下段棚システムは、冷蔵薬品キャビネットの冷蔵部分２７の内部の底部４２がその目的を果たすため下棚は無い。上側の棚システムについては、垂直な仕切り４３は上棚４１及び底部４２に接続し、底部４２で仕切りとして使用することもできる。棚システムは、一組の細長い支持物４５で支えられている。上段３０、中段３５及び４０棚システムの間隔は、上段３０、中段３５、下段４０棚システムのうち１つ以上の細長い支持物のいずれか１つの外へ、及び別の細長い支持物４５の中へスライドすることによって調節できる。
【００２５】
図３は、冷蔵薬品キャビネット１０の外部の背面透視図を示す。冷蔵薬品キャビネット１０の背面４６には、冷蔵ユニットが取り付けられている。冷蔵ユニット１５は、「小型冷蔵庫」にみられるような従来型のデザインを持つものであり、詳細には説明しない。冷蔵ユニット１５は、冷蔵薬品キャビネット１０の冷蔵部分２７の背面部分に取り付けられている。図３はまた、電源コード１９が冷蔵ユニット１５の外側を通ることを可能にするために使用される埋込みチャネル１７及び壁に埋込まれた冷蔵薬品キャビネットを示す。図３はさらに、冷蔵ユニットの背面部分上の埋込まれた取付点４７を示す。これらの埋込まれた取付点は、冷蔵薬品キャビネットが据えつけられる壁から少し突起して付けられたネジ（図示なし）に冷蔵薬品キャビネット１０が取り付けられることを可能にする。
【００２６】
冷蔵薬品キャビネット１０の使用において、浴室の壁の適した位置は、目の高さの電気コンセントに近い位置である。ネジは、図３に示す埋込まれた取付点  ４７のパターンに一致する適切な場所に取り付けられる。冷蔵薬品キャビネットは、浴室の壁の適した位置に埋込まれた取付点４７に合わせ、埋込まれた取付点４７が少し突き出たネジの中に挿入されて、ネジでしっかりと固定される。上段３０、中段３５、下段４０棚システムはその後、適した棚システム支持物  ４５の中に各棚システムを挿入することによって、個々の好みに従って間隔が置かれる。冷蔵薬品キャビネットは、その後電源が供給される。一度電源が供給されると、冷蔵が必要な医薬品、化粧品、及びその他のアイテムは、棚システムの１つの適切な場所に置かれる。
【００２７】
本発明の好ましい実施形態が上述される一方で、本発明に様々な変更が施されることは可能であり、添付のクレームは本発明の精神と範囲に含まれるそのような変更の全てを含むことを意図していることが認識され理解されている。
【図１】
2013248391.tif 000003
【図２】
2013248391.tif 000004
【図３】
2013248391.tif 000005